(57)【特許請求の範囲】
【請求項１】
キャップ本体の前端部に消しゴムが圧入固着される取付孔を設け、前記取付孔の内面に、消しゴムの外側面が径方向に圧接する軸方向に延びる複数本のリブと、消しゴムの後端が軸方向に当接する底壁とを備えた消しゴム付きキャップであって、前記取付孔の内面に、消しゴムの後端部の外側面が周状に圧接する縮径部を設けたことを特徴とする消しゴム付きキャップ。
【請求項２】
前記リブが、前記縮径部の内面及び前記縮径部前方の取付孔の内面に形成されてなる請求項１記載の消しゴム付きキャップ。
【請求項３】
前記取付孔の底壁に、消しゴム圧入時の取付孔内の空気をキャップ本体内へ逃がす通気孔を貫設した請求項１または２記載の消しゴム付きキャップ。
【発明の詳細な説明】
【０００１】
【発明の属する技術分野】
本発明は、消しゴム付きキャップに関する。詳細には、キャップ本体の前端部に消しゴムを圧入固着した消しゴム付きキャップに関する。尚、本発明で、「前」とはキャップ本体の閉塞側（消しゴム取付側）を指し、「後」とは筆記具本体が挿入されるキャップ本体の開口側を指す。
【０００２】
【従来の技術】
従来、消しゴム付きキャップにおいて、例えば、実用新案登録第２５７８２７３号には、取付孔の内面に、消しゴムの外側面が圧接する軸方向に延びるリブと、消しゴム後端が当接する底壁とを備え、前記底壁に凸部を形成し、前記凸部を消しゴムの孔に圧入する構成、及び消しゴム圧入時、前記リブにより、取付孔内面と消しゴム外側面との間に隙間を形成し、取付孔内の空気を圧縮せずに取付孔の開口側より外部に逃がす構成が開示されている。
【０００３】
【発明が解決しようとする課題】
前記従来の消しゴム付きキャップは、底壁の凸部によって消しゴム後端部を圧入保持するとしても、その保持力が不十分であり、ユーザーが消しゴムを紙面に強く押しつけて使用すると、消しゴムがぐらついたり、消しゴムが取付孔より抜け落ちるおそれがある。
【０００４】
本発明は、前記従来の問題点を解決するものであって、消しゴムを紙面に強く押しつけて使用しても、消しゴムがぐらついたり、消しゴムが取付孔より抜け落ちるおそれがなく、さらには、消しゴムのスムーズな取付作業が可能となる消しゴム付きキャップを提供しようとするものである。
【０００５】
【課題を解決するための手段】
〔１〕本発明は、キャップ本体２の前端部に消しゴム５が圧入固着される取付孔３を設け、前記取付孔３の内面に、消しゴム５の外側面が径方向に圧接する軸方向に延びる複数本のリブ３１と、消しゴム５の後端が軸方向に当接する底壁３２とを備えた消しゴム付きキャップ１であって、前記取付孔３の内面に、消しゴム５の後端部の外側面と周状に圧接する縮径部３３を設けたこと（請求項１）を要件とする。
【０００６】
前記取付孔３内面の縮径部３３が、消しゴム５の後端部の外側面と周状に圧接することにより、消しゴム５の後端部の外側面が径方向に強固に保持される。それにより、消しゴム５を紙面に強く押しつけて使用しても、消しゴム５がぐらついたり、消しゴム５が取付孔３から脱落するおそれがない。
【０００７】
ここで「縮径部３３」とは、取付孔３の開口側内径より小さい内径を有する環状内面のことであり、例えば、消しゴム５外側面と周状に面接触する環状内面、または消しゴム５外側面と周状に線接触する環状突起等が挙げられる。尚、前記縮径部３３は、完全な環状であってもよいし、リブや溝等によって一部が途切れていてもよい。
【０００８】
〔２〕前記請求項１の消しゴム付きキャップ１において、リブ３１が、縮径部３３の内面及び縮径部３３前方の取付孔３の内面に形成されてなること（請求項２）が好ましい。
【０００９】
消しゴム５の外側面と圧接する軸方向に延びるリブ３１を、縮径部３３の内面、及び縮径部３３前方の取付孔３の内面に設けたことにより、消しゴム５を取付孔３内に圧入する際、消しゴム５の外側面と取付孔３内面との摩擦抵抗を小さくでき、スムーズな圧入作業が可能となる。特に、取付孔３内面に、消しゴム５の後端部の外側面と周状に圧接する縮径部３３を備えるため、消しゴム５と縮径部３３との摩擦抵抗により、消しゴム５のスムーズな圧入作業が阻害されがちであるが、前記リブ３１を縮径部３３の内面にも設けたことにより、消しゴム５のスムーズな圧入作業が可能となる。
【００１０】
尚、縮径部３３前方の取付孔３の内面のリブ３１以外の部分（拡径部３４）は、消しゴム５と接触してもよいし、非接触であってもよい。また、前記リブ３１は、縮径部３３内面と縮径部３３前方の取付孔３の内面とに連続して設けてもよいし、それぞれ独立して設けてもよい。
【００１１】
〔３〕前記請求項１または２の消しゴム付きキャップ１において、前記取付孔３の底壁３２に、消しゴム５圧入時の取付孔３内の空気をキャップ本体２内へ逃がす通気孔３２ａを貫設すること（請求項３）が好ましい。
【００１２】
消しゴム５の外側面と縮径部３３とが周状に圧接する構成の場合、消しゴム５を取付孔３内に圧入する際、取付孔３内部の空気が圧縮され、スムーズな圧入がなしえないおそれがあるが、前記底壁３２に貫設した通気孔３２ａにより、消しゴム５圧入時の取付孔３内の空気をキャップ本体２内へ逃がすことができ、スムーズな圧入作業が可能となる。
【００１３】
【発明の実施の形態】
本発明の実施の形態を図面に従って説明する。
【００１４】
図１乃至図５に本発明の一実施例を示す。
本実施例の消しゴム付きキャップ１は、キャップ本体２と、該キャップ本体２の前端部に取り付けられる消しゴム５とからなる。
【００１５】
前記キャップ本体２は、合成樹脂（例えば、ポリプロピレン、ポリエチレンテレフタレート、ポリカーボネート等）の射出成形により得られる円筒体であり、その前端部では、消しゴム５が取り付けられる取付孔３が開口され、その後端部では、筆記具本体６が挿着される挿着孔４が開口される。
【００１６】
前記取付孔３は、底壁３２と、該底壁３２の前方の縮径部３３と、該縮径部の前方の拡径部３４とからなる。さらに、前記縮径部３３内面及び拡径部３４内面には、消しゴム５の外側面と径方向に圧接する軸方向に延びる複数本（ここでは４本）のリブ３１が、縮径部３３内面と拡径部３４内面との間を連続して形成される。また、前記底壁３２の中央には、通気孔３２ａが軸方向に貫設され、該通気孔３２ａによって、取付孔３と挿着孔４とが通気可能となる。
【００１７】
前記複数本のリブ３１は、各々が等間隔に配設されると共に、消しゴム５の外側面との摩擦抵抗を出来るかぎり小さくするために、径方向内方端部が尖った形状（具体的には横断面形状が３角形）を有する。前記リブ３１の内接円径（即ち各リブ３１の頂点に接する仮想内接円の直径）は、消しゴム５の外側面に圧接可能なよう、消しゴム５外径より小さく設定される。
【００１８】
前記縮径部３３及び前記拡径部３４は、前記リブ３１の内接円径より大きい内径を有する環状内面からなる。前記縮径部３３は、消しゴム５の後端部外側面にリブ３１と共に圧接可能なよう、その内径が設定される。また、前記拡径部３４の内径は、消しゴム５の外径より僅かに大きく設定される。
【００１９】
前記消しゴム５は円柱体であり、取付孔３の前端開口部から該取付孔３内部に圧入される。前記消しゴム５は、その基材が、例えば、天然ゴム、合成ゴム、ポリ塩化ビニル、または各種熱可塑性エラストマー等からなる。
【００２０】
前記消しゴム５の外側面は、前記複数本のリブ３１が径方向に食いつき且つ軸方向の線状に圧接される。また、前記消しゴム５の後端面は、前記底壁３２と環状に軸方向に圧接される。さらに、前記消しゴム５の後端部外側面が、前記縮径部３３に周状に圧接し且つ面接触されることから、消しゴム５が取付孔３に強固に保持されるため、消しゴム使用時、消しゴム５がぐらついたり、消しゴム５が脱落することが回避される。
【００２１】
また、前記縮径部３３の前方のリブ３１以外の取付孔３内面（拡径部３４）と、消しゴム５外側面とは非接触状態が維持され、それにより、消しゴム５挿入時の摩擦抵抗を小さくすることができる。また、前記底壁３２に通気孔３２ａを貫設したことにより、消しゴム圧入時の取付孔３内の空気をキャップ本体２内へ逃がすことができ、スムーズな消しゴムの圧入作業が可能となる。
【００２２】
【発明の効果】
請求項１の発明は、縮径部により、消しゴムの後端部外側面が径方向に圧接保持されるため、消しゴムの強固な取り付けが可能となり、消しゴムを紙面に強く押しつけて使用しても、消しゴムがぐらついたり、消しゴムが取付孔より抜け落ちるおそれがない。
【００２３】
請求項２の発明は、摩擦抵抗を増加させる縮径部を備えたにもかかわらず、軸方向のリブにより、消しゴムを取付孔に圧入する際、消しゴムの外側面と取付孔内面との摩擦抵抗を小さくでき、スムーズな圧入作業が可能となる。
【００２４】
請求項３の発明は、縮径部を備えたにもかかわらず、通気孔により、消しゴム圧入時の取付孔内の空気をキャップ本体内へ逃がすことができ、消しゴムのスムーズな圧入作業が可能となる。
【図面の簡単な説明】
【図１】本発明の一実施例を示す縦断面図である。
【図２】図１のＡ−Ａ線断面図である。
【図３】図１のＢ−Ｂ線断面図である。
【図４】図１のＣ−Ｃ線断面図である。
【図５】図１の消しゴム取付前のキャップ本体を示す縦断面図である。
【符号の説明】
１  消しゴム付きキャップ
２  キャップ本体
３  取付孔
３１  リブ
３２  底壁
３２ａ  通気孔
３３  縮径部
３４  拡径部
４  挿着孔
５  消しゴム
６  筆記具本体
【図１】
0003801925.tif 000002
【図２】
0003801925.tif 000003
【図３】
0003801925.tif 000004
【図４】
0003801925.tif 000005
【図５】
0003801925.tif 000006